(57)【要約】【課題】第一の構成部材と第二の構成部材が組み合わせ状態から僅かに離れた場合であっても、第一の構成部材と第二の構成部材が組み合わせ状態から離れたことを有利に検出することが出来る、新規な構造の遊技機を提供することを、目的とする。【解決手段】第二コネクタ６６に設けられた押圧部６６が押込解除方向へ変位せしめられると、第二コネクタ６６の押圧部６６によって付勢力に抗して押込変位せしめられていた作用部材１０２が付勢力によって突出変位せしめられることにより、第一接続端子１００が引込変位せしめられて、第二接続端子１２２との接触が解除せしめられるようにした。【選択図】図１２
2009219528.tif 000002
【特許請求の範囲】
【請求項１】
互いに組み合わされて固定される第一の構成部材と第二の構成部材における各対応位置に第一コネクタと第二コネクタが配設されて、該第一の構成部材と該第二の構成部材が互いに組み合わされた状態で該第一コネクタに設けた第一接続端子と該第二コネクタに設けた第二接続端子が接触するようになっており、それら第一接続端子と第二接続端子の間での通電状態に基づいて該第一の構成部材と該第二の構成部材の組み合わせ状態を検出可能とされた遊技機において、
前記第一コネクタの前記第一接続端子を前記第二コネクタの前記第二接続端子に対して接近する突出方向及び離隔する引込方向に変位可能とする一方、該第一コネクタから該第二コネクタに向かって付勢されて突出せしめられた作用部材を設けると共に、該第一の構成部材と該第二の構成部材の組み合わせ状態で該作用部材に押し付けられて該作用部材を付勢力に抗して押し込む押圧部を該第二コネクタに設け、更に、該作用部材と該第一接続端子を連動せしめて該押圧部による該作用部材の押込方向への変位により該第一接続端子を突出変位させて該第二接続端子と接触させると共に該押圧部による押込解除方向への変位により該第一接続端子を引込変位させて該第二接続端子との接触を解除させる連動機構を設けたことを特徴とする遊技機。
【発明の詳細な説明】
【技術分野】
【０００１】
本発明は、第一の構成部材と第二の構成部材の組み合わせ状態が検出可能とされた遊技機に関するものである。
【背景技術】
【０００２】
従来から、パチンコ機等の遊技機には、ゴト行為を防止するための対策が施されている。その一つとして、特許文献１に記載されているように、第一の構成部材としての前枠の前面と第二の構成部材としての開閉扉の裏面が所定以上離間すると、前枠と開閉扉のヒンジ機構の近傍に配設された扉開放検出手段により、開閉扉が開放されていると検出されるようにした弾球遊技機が知られている。
【０００３】
しかしながら、特許文献１に記載の弾球遊技機においては、扉開放検出手段として、従来から公知のリミットスイッチが採用されていることから、開閉扉が僅かに開放された場合、リミットスイッチの「遊び」の範囲内だと、リミットスイッチが反応しないことがある。それ故、ゴト師がピアノ線等を入れることを目的として、開閉扉と前枠の間に形成されている隙間を少しだけ広げようとした場合に、リミットスイッチが反応しないという問題があった。
【０００４】
【特許文献１】特開２００６−２２３７００号公報
【発明の開示】
【発明が解決しようとする課題】
【０００５】
ここにおいて、本発明は、上述の如き事情を背景として為されたものであって、その解決課題とするところは、第一の構成部材と第二の構成部材が組み合わせ状態から僅かに離れた場合であっても、第一の構成部材と第二の構成部材が組み合わせ状態から離れたことを有利に検出することが出来る、新規な構造の遊技機を提供することにある。
【課題を解決するための手段】
【０００６】
以下、このような課題を解決するために為された本発明の態様を記載する。なお、以下に記載の各態様において採用される構成要素は、可能な限り任意の組み合わせで採用可能である。
【０００７】
本発明は、互いに組み合わされて固定される第一の構成部材と第二の構成部材における各対応位置に第一コネクタと第二コネクタが配設されて、第一の構成部材と第二の構成部材が互いに組み合わされた状態で第一コネクタに設けた第一接続端子と第二コネクタに設けた第二接続端子が接触するようになっており、それら第一接続端子と第二接続端子の間での通電状態に基づいて第一の構成部材と第二の構成部材の組み合わせ状態を検出可能とされた遊技機において、第一コネクタの第一接続端子を第二コネクタの第二接続端子に対して接近する突出方向及び離隔する引込方向に変位可能とする一方、第一コネクタから第二コネクタに向かって付勢されて突出せしめられた作用部材を設けると共に、第一の構成部材と第二の構成部材の組み合わせ状態で作用部材に押し付けられて作用部材を付勢力に抗して押し込む押圧部を第二コネクタに設け、更に、作用部材と第一接続端子を連動せしめて押圧部による作用部材の押込方向への変位により第一接続端子を突出変位させて第二接続端子と接触させると共に押圧部による押込解除方向への変位により第一接続端子を引込変位させて第二接続端子との接触を解除させる連動機構を設けたことを、特徴とする。
【０００８】
このような本発明に従う構造とされた遊技機においては、第二コネクタに設けられた押圧部が押込解除方向へ変位せしめられると、第二コネクタの押圧部によって付勢力に抗して押込変位せしめられていた作用部材が付勢力によって突出変位せしめられることにより、第一接続端子が引込変位せしめられて、第二接続端子との接触が解除せしめられるようになっていることから、第二コネクタが第一コネクタから押込解除方向へ変位した距離よりも、第二接続端子が第一接続端子から離隔変位した距離を大きくすることが可能となる。
【０００９】
従って、本発明に係る遊技機においては、第一コネクタと第二コネクタを第一接続端子と第二接続端子の接触状態から離隔変位せしめた場合に、第一接続端子と第二接続端子間の非通電状態を速やかに実現することが可能となる。これにより、第一コネクタが第二コネクタから離隔変位したこと、延いては、第一の構成部材が第二の構成部材から離隔変位したことを高精度に検出することが可能となる。
【００１０】
また、本発明においては、第一接続端子と第二接続端子の間での通電状態から非通電状態への変化に基づいて、外部から認識可能な状態の変化を生ぜしめる状態切換手段を備えていることが望ましい。この場合、遊技機の状態変化に基づいて、第一接続端子と第二接続端子の非通電状態を外部から容易に認識することが可能となる。
【００１１】
なお、本発明における状態切換手段は、第一接続端子と第二接続端子の間での非通電状態を、音声や発光源の発光等によって報知する機能を備えているものに限定されず、例えば、遊技機での遊技を不能にする機能を備えているものであっても良い。
【発明を実施するための最良の形態】
【００１２】
以下、本発明を更に具体的に明らかにするために、本発明の実施形態について、図面を参照しつつ、詳細に説明する。
【００１３】
図１には、本発明に係る遊技機の一実施形態としてのパチンコ機１０が示されている。このパチンコ機１０は、機体の外郭を為す外枠１２に対して開閉可能且つ固定可能に組み付けられた第一の構成部材としての中枠１４を備えており、かかる中枠１４に設けられた操作ハンドル１６に対して回動操作可能に組み付けられた操作レバー１８が回動操作されることにより、中枠１４に設けられた発射球貯留皿２０に貯留されている遊技球が、中枠１４に対して開閉可能に組み付けられた第二の構成部材としての前枠２２で保持されている透明板２４を通して遊技者に視認される遊技領域（図示せず）に向けて発射されるようになっている。なお、本実施形態では、前枠２２は、一対のヒンジ部材２６，２６によって、中枠１４に組み付けられており、それによって、幅方向一端側（図１中左端側）に位置する回動中心軸線回りに開閉可能とされている。また、本実施形態では、前枠２２の幅方向他端側（図１中の右端側）、即ち、前枠２２の回動中心軸線が位置するほうとは反対側に設けられた枠鍵２８によって、前枠２２が閉じられた状態に維持されるようになっている。
【００１４】
より詳細には、操作レバー１８は、操作ハンドル１６内に配設された巻ばね（図示せず）の付勢力が回動操作方向（本実施形態では、反時計回りの方向）と反対の方向（本実施形態では、時計回りの方向）に及ぼされた状態で、操作ハンドル１６に対して回動可能に配設されている。これにより、操作レバー１８は、巻ばねによる付勢力に抗して、反時計回りの方向に回動操作されるようになっている。そして、操作レバー１８に対して回動操作力が及ぼされなくなった場合には、操作レバー１８は、巻ばねの付勢力によって、初期位置に戻るようになっている。
【００１５】
また、操作レバー１８の表面には、導電性の皮膜が形成されている。かかる導電性の皮膜は、操作ハンドル１６内に配設されたタッチセンサ３０（図２参照）に接続されている。これにより、遊技者の指が操作レバー１８に触れると、タッチセンサ３０から検出信号が出力されるようになっている。
【００１６】
なお、タッチセンサ３０としては、例えば、人体がもつ静電容量への充電現象を利用して、その変化を検出する検出回路によって構成された従来から公知のもの、具体的には、操作レバー１８が接続される発振回路が内部に設けられており、操作レバー１８に人体（例えば、遊技者の指）が接触すると発振回路の発振のバランスを崩して発振を停止させて、かかる発振の停止の有無により人体の接触／非接触状態を検出するようにした検出回路によって構成されているものが採用される。
【００１７】
さらに、操作ハンドル１６内には、発射停止スイッチ３２（図２参照）が配設されている。かかる発射停止スイッチ３２は、操作レバー１８の近くにおいて揺動可能に設けられた押圧操作片３４によって押圧操作可能とされている。なお、発射停止スイッチ３２は、従来から公知のマイクロスイッチによって構成されている。
【００１８】
そこにおいて、操作レバー１８が初期位置に位置せしめられた状態では、発射停止スイッチ３２が押圧操作片３４によって押圧操作された状態となっている。一方、操作レバー１８が巻ばねの付勢力に抗して回動操作された状態では、発射停止スイッチ３２が押圧操作片３４によって押圧操作されていない状態となる。これにより、操作レバー１８が回動操作された状態では、押圧操作片３４を遊技者が押圧操作することによって、発射停止スイッチ３２が押圧操作されるようになっている。
【００１９】
更にまた、操作ハンドル１６内には、操作レバー１８の回動量を検出するボリュームスイッチ３６（図２参照）が配設されている。なお、図面上では明示されていないが、本実施形態では、操作レバー１８と一体的に回転せしめられるピニオンとボリュームスイッチ３６に連結されているピニオンが噛合わされており、それによって、操作レバー１８の回動量がボリュームスイッチ３６によって検出されるようになっている。
【００２０】
続いて、パチンコ機１０が備えている状態切換手段としての発射制御回路３８について、図２に基づいて、説明する。発射制御回路３８は、発振器４０，発射パルス生成部４２，処理部４４，出力部４６を含んで構成されている。そして、処理部４４及び出力部４６には、タッチセンサ３０が接続されている。また、出力部４６には、発射停止スイッチ３２とボリュームスイッチ３６が接続されている。
【００２１】
発振器４０は、従来から公知の水晶振動子を含んで構成されており、パルス信号を発生させるものである。このような発振器４０は、発射パルス生成部４２に接続されている。
【００２２】
発射パルス生成部４２は、所謂分周回路によって構成されており、発振器４０によって生成されたパルス信号の周波数を基準となる発射間隔（本実施形態では、０．６秒）で遊技球を発射できるような周波数に変更するものである。このような発射パルス生成部４２は、処理部４４に接続されている。
【００２３】
処理部４４は、各種の回路素子を組み合わせることによって、或いは、専用設計されたＩＣを適当に組み合わせることによって構成されており、タッチセンサ３０からの検出信号の有無や発射パルス生成部４２からのパルス信号の入力の有無を検出するようになっている。そして、処理部４４は、タッチセンサ３０からの検出信号が入力されている場合に、発射パルス生成部４２からのパルス信号の入力の有無を検出し、パルス信号が入力されている場合には、発射信号を出力するようになっている。なお、タッチセンサ３０からの検出信号が入力されていない場合、処理部４４は、発射パルス生成部４２からのパルス信号の入力の有無を検出しないようになっている。このような処理部４４は、出力部４６に接続されている。
【００２４】
出力部４６は、各種の回路素子を組み合わせることによって、或いは、専用設計されたＩＣを適当に組み合わせることによって構成されており、タッチセンサ３０からの検出信号の入力の有無や発射停止スイッチ３２からの検出信号の入力の有無、ボリュームスイッチ３６からの回動量信号の入力の有無、処理部４４からの発射信号の入力の有無を検出するようになっている。このような出力部４６には、発射ソレノイド４８と、後述する球送りカセット６０を駆動するための球送りソレノイド５０が接続されている。
【００２５】
発射ソレノイド４８は、出力軸が設けられたロータと、コイルが巻き回されたヨークを備えた、従来から公知のロータリーソレノイドによって構成されており、図３に示されているように、適当な取付部材５２を介して、取付板５４に固定されている。そして、取付板５４が中枠１４に取り付けられることにより、発射ソレノイド４８がパチンコ機１０に取り付けられるようになっている。
【００２６】
また、発射ソレノイド４８の出力軸には、発射杆５６が設けられている。この発射杆５６には、巻ばね（図示せず）による付勢力が常時及ぼされており、かかる巻ばねの付勢力によって、発射杆５６はストッパゴム（図示せず）に当接せしめられている。即ち、発射杆５６は、ストッパゴムに当接することによって、巻ばねによる付勢力が及ぼされている方向への変位が規制されるようになっている。因みに、図３では、発射杆５６が巻ばねの付勢力によってストッパゴムに当接せしめられた状態が示されており、本実施形態では、発射杆５６が巻ばねの付勢力によってストッパゴムに当接せしめられた位置（図３で示されている位置）が初期位置となる。
【００２７】
そして、出力部４６は、タッチセンサ３０からの検出信号が入力されている一方、発射停止スイッチ３２からの検出信号が入力されていない場合、即ち、遊技者が操作レバー１８に触った状態で、操作レバー１８を回動操作しており、且つ、押圧操作片３４を押圧操作していない場合、処理部４４からの発射信号が入力されると、ボリュームスイッチ３６からの回動量信号に対応した回転速度で発射杆５６を駆動変位せしめるための電流を発射ソレノイド４８に流すようになっている。これにより、発射杆５６が巻ばねの付勢力に抗して駆動変位せしめられる。その結果、発射レール５８に載置された遊技球が、発射杆５６によって、遊技領域に向けて弾かれる。
【００２８】
そこにおいて、本実施形態では、発射杆５６が遊技球を弾く位置まで駆動変位せしめられると、発射杆５６は他のストッパゴム（図示せず）に当接するようになっている。即ち、発射杆５６は、他のストッパゴムに当接することによって、駆動変位方向への変位が規制されるようになっている。
【００２９】
そして、発射杆５６が遊技球を弾いた後、出力部４６は、発射ソレノイド４８への通電を停止する。これにより、発射杆５６は、巻ばねの付勢力によって、初期位置に向かって返戻作動するようになっている。
【００３０】
また、出力部４６は、発射ソレノイド４８への通電を停止した後、球送りソレノイド５０への通電を行う。これにより、球送りカセット６０が作動せしめられて、発射球貯留皿２０に貯留されている遊技球が１個だけ発射レール５８上に送られてくるようになっている。
【００３１】
一方、タッチセンサ３０と発射停止スイッチ３２の両方から検出信号が入力されている場合（遊技者が操作レバー１８を触っているが、操作レバー１８を回動操作していない場合、或いは、遊技者が操作レバー１８に触っており、且つ、操作レバー１８を回動操作しているが、押圧操作片３４を押圧操作している場合）や、タッチセンサ３０からの検出信号が入力されていない場合（遊技者が操作レバー１８に触っていない場合）には、出力部４６は、発射ソレノイド４８への通電を行わないようになっている。これにより、遊技球の発射が行われないようになっている。
【００３２】
そこにおいて、本実施形態では、図４に示されているように、タッチセンサ３０と発射制御回路３８を接続してタッチセンサ３０からの検出信号を発射制御回路３８に伝送する検出信号伝送路６２が前枠２２と中枠１４に跨るように配設されている。そして、中枠１４に設けられた第一コネクタとしての固定側コネクタ６４と、前枠２２において固定側コネクタ６４と対応する位置に設けられた第二コネクタとしての可動側コネクタ６６によって構成された扉連動スイッチ６８が接続されている状態で、検出信号伝送路６２が電気的に接続されて、タッチセンサ３０からの検出信号が発射制御回路３８に伝送されるようになっている。なお、本実施形態では、扉連動スイッチ６８は、図３に示されているように、検出信号伝送路６２が処理部４４に接続される部分と出力部４６に伝送される部分に分岐されている位置よりもタッチセンサ３０側に設けられている。
【００３３】
より詳細には、本実施形態の固定側コネクタ６４は、合成樹脂材等の絶縁材で形成された本体部分７０を備えており、図５乃至７にも示されているように、かかる本体部分７０には、突出端面（高さ方向の一端面）に開口する嵌合凹溝７２が形成されている。なお、本実施形態では、本体部分７０は、嵌合凹溝７２の溝方向で重ね合わせられる二つの上側本体構成部材７４ａ，７４ｂと、これら二つの上側本体構成部材７４ａ，７４ｂに対して下側から重ね合わせられる下側本体構成部材７４ｃで構成されており、これら二つの上側本体構成部材７４ａ，７４ｂと下側本体構成部材７４ｃは、接着や溶着，係止，ネジ止等の適当な固定方法によって、相互に固定されるようになっている。
【００３４】
また、固定側コネクタ６４の本体部分７０には、収容空所７６が形成されている。そして、収容空所７６は、嵌合凹溝７２の底面７８に開口形成されたピン用開口穴８０ａ，８０ｂと端子用開口穴８２ａ，８２ｂを通じて外部に接続されている。なお、本実施形態では、ピン用開口穴８０ａ，８０ｂと端子用開口穴８２ａ，８２ｂは、それぞれ、二つずつ形成されている。
【００３５】
さらに、収容空所７６には、伝達板８４ａ，８４ｂが収容位置せしめられている。そこにおいて、本実施形態では、伝達板８４ａ，８４ｂは、それぞれ、鉄や銅等の導電性材料によって形成されており、全体として長手平板形状を呈している。なお、各伝達板８４ａ，８４ｂは、導電性を有していれば、その全体が導電性材料で形成されている必要はなく、例えば、合成樹脂材料で形成された伝達板８４ａ，８４ｂの表面にアルミニウム等で形成された導電性皮膜を形成することにより、伝達板８４ａ，８４ｂに導電性をもたせるようにしても良い。また、各伝達板８４ａ，８４ｂの長手方向の中央には、伝達板８４ａ，８４ｂの幅方向に延びる挿通孔８６ａ，８６ｂが形成されている。
【００３６】
そして、各伝達板８４ａ，８４ｂは、長手方向中央部分に形成された挿通孔８６ａ，８６ｂに対して、収容空所７６を画成する本体部分７０の側壁に突設された支持軸９０ａ，９０ｂが挿通されることにより、支持軸９０ａ，９０ｂ回りに揺動可能な状態で配されている。そこにおいて、各支持軸９０ａ，９０ｂは、鉄や銅等の導電性材料で形成されており、収容空所７６ａ，７６ｂを画成する本体部分７０の側壁に形成された支持穴９４ａ，９４ｂに挿入された状態で接着等によって固定されている。また、各支持軸９０ａ，９０ｂには、リード線９６ａ，９６ｂが接続されており、かかるリード線９６ａ，９６ｂは、それぞれ、収容空所７６を画成する本体部分７０の底壁に形成された貫通孔９８ａ，９８ｂを通じて外部に延び出している。
【００３７】
また、各伝達板８４ａ，８４ｂの長手方向一端には、第一接続端子としての固定側接続端子１００ａ，１００ｂが重ね合わされて伝達板８４ａ，８４ｂの厚さ方向に突出する状態で配されている。そこにおいて、本実施形態では、固定側接続端子１００ａ，１００ｂは、それぞれ、伝達板８４ａ，８４ｂと同様に、銅等の導電性材料によって形成されており、円柱形状を呈している。なお、固定側接続端子１００ａ，１００ｂは、導電性を有していれば、その全体が導電性材料によって形成されている必要はなく、例えば、合成樹脂材料によって形成された固定側接続端子１００ａ，１００ｂの表面にアルミニウム等で形成された導電性の皮膜を形成することで、固定側接続端子１００ａ，１００ｂに導電性をもたせるようにしても良い。また、固定側接続端子１００ａ，１００ｂは、略一定の断面形状でストレートに延びる柱形状に限定されるものではなく、例えば、円錐等のように先端が尖った形状等であっても良い。
【００３８】
そして、上述の如く伝達板８４ａ，８４ｂの長手方向一端に配された状態で、固定側接続端子１００ａ，１００ｂは、端子用開口穴８２ａ，８２ｂ内に位置せしめられており、特に本実施形態では、固定側接続端子１００ａ，１００ｂの突出端面は、端子用開口穴８２ａ，８２ｂ内に位置せしめられている。換言すれば、固定側接続端子１００ａ，１００ｂは、嵌合凹溝７２の底面７８の上方、即ち、嵌合凹溝７２内に延び出していないのである。
【００３９】
また、各伝達板８４ａ，８４ｂの長手方向他端部分には、作用部材としての押込ピン１０２ａ，１０２ｂが設けられている。そこにおいて、本実施形態では、押込ピン１０２ａ，１０２ｂは、それぞれ、合成樹脂材料等の非導電性材料で形成されており、全体として円柱形状を呈している。このような押込ピン１０２ａ，１０２ｂは、軸方向下端面が伝達板８４ａ，８４ｂの長手方向他端部分に重ね合わされて伝達板８４ａ，８４ｂの厚さ方向に突出する状態で配されている。そして、この状態で、押込ピン１０２ａ，１０２ｂは、ピン用開口穴８０ａ，８０ｂに挿通されており、特に本実施形態では、押込ピン１０２ａ，１０２ｂの突出端面は、嵌合凹溝７２内に位置せしめられている。換言すれば、押込ピン１０２ａ，１０２ｂは、嵌合凹溝７２の底面７８から突出しているのである。
【００４０】
更にまた、各伝達板８４ａ，８４ｂにおいて固定側接続端子１００ａ，１００ｂや押込ピン１０２ａ，１０２ｂが取り付けられたほうとは反対側の面と収容空所７６を画成する底壁との間には、付勢手段としてのコイルスプリング１０４ａ，１０４ｂが配されている。なお、各コイルスプリング１０４ａ，１０４ｂは、従来から公知の圧縮コイルスプリングで構成されている。そこにおいて、本実施形態では、各コイルスプリング１０４ａ，１０４ｂは、押込ピン１０２ａ，１０２ｂと同一中心軸線上に開口形成された位置決め凹所１０６ａ，１０６ｂに収容された状態で配されている。これにより、各コイルスプリング１０４ａ，１０４ｂは、押込ピン１０２ａ，１０２ｂと同一中心軸線上に位置するように位置決めされた状態で、収容空所７６内に配されている。その結果、押込ピン１０２ａ，１０２ｂに対して、コイルスプリング１０４ａ，１０４ｂの付勢力が及ぼされており、押込ピン１０２ａ，１０２ｂが嵌合凹溝７２の底面７８から突出している。
【００４１】
なお、このような構造とされた固定側コネクタ６４は、例えば、端子用開口穴８２ａ内に固定側接続端子１００ａを収容位置せしめると共に、ピン用開口穴８０ａに押込ピン１０２ａを挿通せしめた状態で、伝達板８４ａの挿通孔８６ａに挿通した支持軸９０ａを支持穴９４ａに挿し込んで接着固定した一方の上側本体構成部材７４ａを用意すると共に、同様な方法により固定側接続端子１００ｂと、押込ピン１０２ｂと、伝達板８４ｂが組み付けられた他方の上側本体構成部材７４ｂを用意し、これら二つの上側本体構成部材７４ａ，７４ｂを重ね合わせて、接着や溶着，係止，ネジ止等の適当な固定方法で相互に固定すると共に、相互に固定された上側本体構成部材７４ａ，７４ｂに対して、位置決め凹所１０６ａ，１０６ｂにコイルスプリング１０４ａ，１０４ｂが収容配置された下側本体構成部材７４ｃを重ね合わせて、接着や溶着，係止，ネジ止等の適当な固定方法で相互に固定すること等によって製造することが出来る。なお、二つの支持軸９０ａ，９０ｂは、合成樹脂材料等の非導電性材料で形成された連結筒部材１１０に挿し込まれて、かかる連結筒部材１１０によって相互に連結された状態で、収容空所７６内に配されている。
【００４２】
また、一方の支持軸９０ａに接続されたリード線９６ａは、タッチセンサ３０に接続されているセンサ側伝送路１１２を構成するリード線に接続されており、他方の支持軸９０ｂに接続されたリード線９６ｂは、発射制御回路３８に接続されている回路側伝送路１１４を構成するリード線に接続されている。これにより、一方の固定側接続端子１００ａがタッチセンサ３０に接続されており、他方の固定側接続端子が１００ｂが発射制御回路３８に接続されている。
【００４３】
このような構造とされた固定側コネクタ６４は、中枠１４における前枠２２との重ね合わせ面に開口成形された凹所１１６に収容位置せしめられた状態で、中枠１４に設けられている。特に本実施形態では、固定側コネクタ６４は、中枠１４において前枠２２の回動中心軸とは反対側に位置せしめられる縦桟部分に設けられている。
【００４４】
なお、固定側コネクタ６４の中枠１４への固定は、例えば、固定側コネクタ６４を中枠１４に対して接着剤で固定する方法等が、採用可能である。また、固定側コネクタ６４に対して、中枠１４への固定片を別途設けておき、かかる固定片によって中枠１４に固定するようにしても良い。更にまた、固定側コネクタ６４を中枠１４へ固定する際には、凹所１１６において固定側コネクタ６４の本体部分７０が重ね合わせられる部分に貫通形成された挿通孔１１８ａ，１１８ｂにリード線９６ａ，９６ｂを入れることにより、リード線９６ａ，９６ｂを中枠１４内に配設することが有利に実現される。
【００４５】
そこにおいて、本実施形態では、上述の如く固定側コネクタ６４が中枠１４に設けられた状態で、固定側コネクタ６４の本体部分７０に形成された嵌合凹溝７２の溝幅方向が中枠１４の幅方向と略一致せしめられている。
【００４６】
また、本実施形態では、上述の如く、固定側コネクタ６４が凹所１１６に収容位置せしめられた状態で、固定側コネクタ６４は、中枠１４における前枠２２との重ね合わせ面から突出しないようにされている。
【００４７】
更にまた、本実施形態では、センサ側伝送路１１２と回路側伝送路１１４は、それぞれ、中枠１４内に配されている。そこにおいて、本実施形態では、センサ側伝送路１１２は、操作ハンドル１６内から中枠１４内に延び出すように配されており、回路側伝送路１１４は、中枠１４内から発射制御回路３８のほうへ延び出すように配されている。
【００４８】
一方、可動側コネクタ６６は、合成樹脂材等の絶縁材料によって形成されており、図８乃至１０にも示されているように、矩形ブロック形状を呈している。また、可動側コネクタ６６には、固定側コネクタ６４の本体部分７０に形成された嵌合凹溝７２の底面７８と重ね合わせられる面において、可動側コネクタ６６が固定側コネクタ６４の本体部分７０に形成された嵌合凹溝７２に嵌め入れられて可動側コネクタ６６が嵌合凹溝７２の底面７８に重ね合わせられた状態で端子用開口穴８２ａ、８２ｂに対応する位置に挿入穴１２０ａ，１２０ｂが形成されている。更にまた、挿入穴１２０ａ，１２０ｂの上底面には、それぞれ、第二接続端子としての可動側接続端子１２２ａ，１２２ｂが埋め込まれている。また、これら可動側接続端子１２２ａ，１２２ｂは、可動側コネクタ６６に埋め込まれたリード線で構成された中継用伝送路１２４によって接続されている。
【００４９】
なお、このような構造とされた可動側コネクタ６６は、成形キャビティ内の所定の位置に中継用伝送路１２４を構成するリード線と可動側接続端子１２２ａ，１２２ｂを配置した状態で、成形キャビティ内に形成材料を充填すること等によって製造することができる。
【００５０】
このような構造とされた可動側コネクタ６６は、前枠２２における中枠１４との重ね合わせ面において中枠１４に設けられた固定側コネクタ６４に対応する位置に開口形成された凹所１２６に対して、挿入穴１２０ａ，１２０ｂが形成されたほうとは反対側の端部が収容位置せしめられた状態で、前枠２２に設けられている。即ち、可動側コネクタ６６は、前枠２２の回動中心軸が位置するほうとは反対側の縦桟部分において、前枠２２の裏面（中枠１４との重ね合わせ面）から突出する状態で、前枠２２に設けられているのである。そこにおいて、上述の如く可動側コネクタ６６が前枠２２に設けられた状態で、可動側コネクタ６６の幅方向と前枠２２の幅方向が略一致している。なお、可動側コネクタ６６の前枠２２への固定方法としては、例えば、前枠２２に対して接着する方法や、前枠２２にネジ止めする方法等が、採用可能である。
【００５１】
上述の如き構造とされたパチンコ機１０においては、前枠２２が閉じられる際に、可動側コネクタ６６が固定側コネクタ６４の嵌合凹溝７２に入り込むことになる。そして、図１１に示されているように、可動側コネクタ６６の突出端面（挿込方向の先端面）が押込ピン１０２ａ，１０２ｂに接触する。この状態から可動側コネクタ６６が更に挿し込まれると、押込ピン１０２ａ，１０２ｂがコイルスプリング１０４ａ，１０４ｂの付勢力に抗して収容空所７６内へ押し込まれる。そうすると、押込ピン１０２ａ，１０２ｂを押し込む力が伝達板８４ａ，８４ｂの長手方向他端部分に伝達されて、伝達板８４ａ，８４ｂが支持軸９０ａ，９０ｂ回りに揺動せしめられることとなる。その結果、図１２に示されているように、伝達板８４ａ，８４ｂの長手方向一端部分に配された固定側接続端子１００ａ，１００ｂが嵌合凹溝７２内に突出してきて、挿入穴１２０ａ，１２０ｂの上底面に設けられた可動側接続端子１２２ａ，１２２ｂと接触することになる。特に本実施形態では、可動側コネクタ６６の挿込側先端面が固定側コネクタ６４の嵌合凹溝７２の底面７８に当接するまで押込ピン１０２ａ，１０２ｂが押し込まれた状態で、固定側接続端子１００ａ，１００ｂと可動側接続端子１２２ａ，１２２ｂが接触するようになっている。これにより、センサ側伝送路１１２と中継用伝送路１２４と回路側伝送路１１４が電気的に接続されることとなる。その結果、タッチセンサ３０からの検出信号が、センサ側伝送路１１２と中継用伝送路１２４と回路側伝送路１１４によって構成された検出信号伝送路６２を通じて、発射制御回路３８に入力されることとなる。
【００５２】
そして、タッチセンサ３０からの検出信号が発射制御回路３８に入力されると、処理部４４から出力部４６に向けて発射信号が出力されて、かかる発射信号が出力部４６に入力される。これにより、出力部４６は、ボリュームスイッチ３６からの回動量信号に対応した回転速度で発射杆５６を駆動するための電流を発射ソレノイド４８に流す。その結果、発射杆５６が駆動変位せしめられる。
【００５３】
一方、前枠２２が開けられている場合には、可動側コネクタ６６の挿込側先端面が固定側コネクタ６４の嵌合凹溝７２の底面７８に当接していないことから、可動側接続端子１２２ａ，１２２ｂと固定側接続端子１００ａ，１００ｂが接触していない状態となる。これにより、検出信号伝送路６２が、センサ側伝送路１１２と中継用伝送路１２４と回路側伝送路１１４とに分割されて、遮断された状態となる。その結果、タッチセンサ３０からの検出信号が検出信号伝送路６２を通じて発射制御回路３８に入力されないようになる。
【００５４】
そして、タッチセンサ３０からの検出信号が発射制御回路３８に入力されなくなると、処理部４４において発射信号が生成されなくなる。これにより、ボリュームスイッチ３６から入力される回動量信号に対応した回転速度で発射杆５６を駆動変位せしめるための電流が発射ソレノイド４８に流れなくなる。その結果、発射杆５６が巻ばねの付勢力によって初期位置に戻る。
【００５５】
特に本実施形態では、可動側コネクタ６６が固定側コネクタ６４の嵌合凹溝７２の底面７８から少しでも離隔せしめられると、押込ピン１０２ａ，１０２ｂがコイルスプリング１０４ａ，１０４ｂの付勢力によって可動側コネクタ６６の変位に追従するようにして底面７８から突出する一方、コイルスプリング１０４ａ，１０４ｂの付勢力によって伝達板８４ａ，８４ｂが逆方向に揺動することにより、固定側接続端子１００ａ，１００ｂが引っ込んで、可動側接続端子１２２ａ，１２２ｂと固定側接続端子１００ａ，１００ｂが非接触状態となるから、上述の如き検出信号伝送路６２の遮断状態を速やかに実現することが可能となる。
【００５６】
なお、上述の説明から明らかなように、本実施形態では、可動側コネクタ６６そのものによって押圧部が構成されている。また、本実施形態では、コイルスプリング１０４ａ，１０４ｂと伝達板８４ａ，８４ｂを含んで連動機構が構成されている。
【００５７】
従って、上述の如き構造とされたパチンコ機においては、枠鍵２８によって中枠１４に固定された前枠２２と中枠１４の対向面間に形成された隙間にマイナスドライバ等を挿し込んでかかる隙間を無理矢理広げようとすると、遊技球の発射が出来ないようになることから、枠鍵２８によって中枠１４に固定された前枠２２と中枠１４の対向面間に形成された隙間にマイナスドライバ等を挿し込んでかかる隙間を無理矢理広げようとする不正行為を有利に防止することが可能となる。
【００５８】
続いて、本発明の第二の実施形態について、説明する。なお、以下の説明において、第一の実施形態と同様な構造とされた部材及び部位については、図中に、第一の実施形態と同一の符号を付することにより、それらの詳細な説明を省略する。
【００５９】
本実施形態のパチンコ機は、第一の実施形態のパチンコ機（１０）に比して、固定側コネクタ１２８の構造が異なっている。具体的には、本実施形態の固定側コネクタ１２８は、図１３乃至図１５に示されているように、固定側接続端子１００ａ，１００ｂが付勢手段としての板ばね１３０ａ，１３０ｂに取り付けられている。この板ばね１３０ａ，１３０ｂは、それぞれ、ばね鋼等で形成されており、全体として長手平板形状を呈している。特に本実施形態では、各板ばね１３０ａ，１３０ｂは、長手方向中央部分が厚さ方向一方の側へ凸となるように厚さ方向で円弧状に湾曲せしめられている。また、板ばね１３０ａ，１３０ｂの長手方向一端には、板ばね１３０ａ，１３０ｂの幅方向に延びる挿通孔１３２ａ，１３２ｂが形成されている。なお、本実施形態では、固定側接続端子１００ａ，１００ｂと板ばね１３０ａ，１３０ｂが、何れも、導電性材料で形成されている。
【００６０】
上述の如く固定側接続端子１００ａ，１００ｂを備えた板ばね１３０ａ，１３０ｂは、それぞれ、長手方向一端に形成された挿通孔１３２ａ，１３２ｂに対して、収容空所７６の側壁に突設された支持軸９０ａ，９０ｂが挿通された状態で，収容空所７６内に配されている。そこにおいて、支持軸９０ａ，９０ｂは、それぞれ、鉄や銅等の導電性材料によって形成されており、収容空所７６の側壁に形成された支持孔９４ａ，９４ｂに軸方向端部が挿入されて、接着等によって固定されている。
【００６１】
また、上述の如く板ばね１３０ａ，１３０ｂが支持軸９０ａ，９０ｂに組み付けられた状態で、板ばね１３０ａ，１３０ｂの長手方向他端には、固定側接続端子１００ａ，１００ｂが載置されており、この状態で、固定側接続端子１００ａ，１００ｂは、端子用開口穴８２ａ，８２ｂ内に位置せしめられている。特に本実施形態では、固定側接続端子１００ａ，１００ｂの軸方向一端面は、端子用開口穴８２ａ，８２ｂ内に位置せしめられている。換言すれば、固定側接続端子１００ａ，１００ｂは、可動側コネクタ６６との重ね合わせ面である嵌合凹溝７２の底面７８から突出していないのである。
【００６２】
また、本実施形態の固定側コネクタ６４においては、ピン用開口穴８０ａ，８０ｂは、収容空所７６の天井部分に開口しておらず、収容空所７６の側壁部分に開口している。そして、本実施形態では、ピン用開口穴８０ａ，８０ｂ内には、ピアノ線で形成されてピン用開口穴８０ａ，８０ｂの形状に対応して円弧状に湾曲せしめられた連結ワイヤ１３６ａ，１３６ｂが配されている。かかる連結ワイヤ１３６ａ，１３６ｂには、それぞれ、その延出方向の一端において、押込ピン１０２ａ，１０２ｂが接着等されて一体的に設けられている一方、その延出方向の他端において、合成樹脂材料等の非導電性材料で形成されて段付円柱形状を呈する当接片１３８ａ，１３８ｂが接着等されて一体的に設けられている。
【００６３】
そして、上述の如く押込ピン１０２ａ，１０２ｂと当接片１３８ａ，１３８ｂが一体的に設けられた連結ワイヤ１３６ａ，１３６ｂは、当接片１３８ａ，１３８ｂが板ばね１３０ａ，１３０ｂの長手方向中間部分、即ち、凸となる部分の頂に当接した状態で、ピン用開口穴８０ａ，８０ｂ内に収容配置されており、この状態で、押込ピン１０２ａ，１０２ｂは、嵌合凹溝７２の底面７８から突出している。そこにおいて、本実施形態では、当接片１３８ａ，１３８ｂの大径部分の外径寸法は、ピン用開口穴８０ａ，８０ｂにおける収容空所７６側の内径寸法よりも大きくされている。これにより、当接片１３８ａ，１３８ｂの大径部分がピン用開口穴８０ａ，８０ｂの収容空所７６側の開口端面に引っ掛かって、連結ワイヤ１３６ａ，１３６ｂのピン用開口穴８０ａ，８０ｂからの抜出しを防止できるようになっている。
【００６４】
なお、上述の如き構造とされた固定側コネクタ１２８は、本体部分７０を第一及び第二の本体構成部材１４０，１４２によって構成し、第一の本体構成部材１４０と第二の本体構成部材１４２を接着や溶着，係止，ネジ止等で固定する際に、板ばね１３０ａ，１３０ｂと、押込ピン１０２ａ，１３０ｂと当接片１３８ａ，１３８ｂが一体的に設けられた連結ワイヤ１３６ａ，１３６ｂとを組み付けることによって、製造することが出来る。なお、二つの支持軸９０ａ，９０ｂは、合成樹脂材料等の非導電性材料で形成された連結筒部材１４４に挿し込まれて、かかる連結筒部材１４４によって相互に連結された状態で、収容空所７６内に配されている。
【００６５】
そして、上述の如き構造とされた固定側コネクタ１２８の嵌合凹溝７２に可動側コネクタ６６が入り込むと、図１６に示されているように、可動側コネクタ６６の突出端面（差込方向の先端面）が押込ピン１０２ａ，１０２ｂに接触する。この状態から可動側コネクタ６６が更に挿し込まれると、押込ピン１０２ａ，１０２ｂに対して連結ワイヤ１３６ａ，１３６ｂを介して接続された当接片１３８ａ，１３８ｂが板ばね１３０ａ，１３０ｂの付勢力に抗して板ばね１３０ａ，１３０ｂを押す。これにより、押込ピン１０２ａ，１０２ｂが板ばね１３０ａ，１３０ｂの付勢力に抗して収容空所７６内へ押し込まれてくる。また、当接片１３８ａ，１３８ｂで押された板ばね１３０ａ，１３０ｂが延びることにより、図１７に示されているように、板ばね１３０ａ，１３０ｂの長手方向一端部分に設けられた固定側接続端子１００ａ，１００ｂが嵌合凹溝７２内に突出してきて、可動側コネクタ６６の挿入穴１２０内に入り込むことにより、可動側接続端子１２２ａ，１２２ｂと接触することになる。特に本実施形態では、可動側コネクタ６６の挿込側先端面が固定側コネクタ１２８の嵌合凹溝７２の底面７８に当接するまで押込ピン１０２ａ，１０２ｂが押し込まれた状態で、固定側接続端子１００ａ，１００ｂと可動側接続端子１２２ａ，１２２ｂが接触するようになっている。
【００６６】
一方、可動側コネクタ６６が固定側コネクタ１２８の嵌合凹溝７２の底面７８から少しでも離隔せしめられると、可動側コネクタ６６による押込ピン１０２ａ，１０２ｂの押込変位量が小さくなり、それに伴って、当接片１３８ａ，１３８ｂが板ばね１３０ａ，１３０ｂを押し込む量も小さくなる。これにより、固定側接続端子１００ａ，１００ｂの突出量も小さくなって、固定側接続端子１００ａ，１００ｂが可動側接続端子１２２ａ，１２２ｂから積極的に離隔変位せしめられる。その結果、可動側接続端子１２２ａ，１２２ｂと固定側接続端子１００ａ，１００ｂの非接触状態が速やかに実現される。
【００６７】
従って、本実施形態のパチンコ機においても、第一の実施形態と同様な効果を得ることが出来る。
【００６８】
なお、上述の説明から明らかなように、本実施形態では、板ばね１３０ａ，１３０ｂと連結ワイヤ１３６ａ，１３６ｂを含んで連動機構が構成されている。
【００６９】
以上、本発明の幾つかの実施形態について詳述してきたが、これらはあくまでも例示であって、本発明は、かかる実施形態における具体的な記載によって、何等、限定的に解釈されるものではない。
【００７０】
例えば、前記第一及び第二の実施形態において、図１８に示すような構造の固定側コネクタ１４６を採用することも出来る。かかる固定側コネクタ１４６は、銅等の導電性材料で形成されて、作動部材と第一接続端子が一体形成された構造の端子部材１４８が、作動部材を収容する開口穴と第一接続端子を収容する開口穴が相互に連通された構造の収容穴１５０内に収容配置された構造とされている。
【００７１】
また、端子部材１４８には、適当な係止片１５２が設けられている。そして、端子部材１４８に設けられた係止片１５２が収容穴１５０の内周面に開口形成された位置決め穴１５４に収容されたコイルスプリング１０４の軸方向一端に当接せしめられている。これにより、端子部材１４８の延出方向一端が収容穴１５０の一方の開口から外部に突出している一方、端子部材１４８の延出方向他端が収容穴１５０の他方の開口から外部に突出していない状態で、端子部材１４８が収容穴１５０内に配されることとなる。また、端子部材１４８の延出方向一端が押し込まれた際に、端子部材１４８に設けられた係止片１５２がコイルスプリング１０４を押し込んで圧縮することになるから、端子部材１４８の延出方向一端に押込力が作用しなくなった際に、コイルスプリング１０４の付勢力によって、端子部材１４８が初期位置に戻るようになる。
【００７２】
更にまた、導電性の板部材１５６を、端子部材１４８と接触する状態で、収容穴１５０内に配設しておけば、板部材１５６にリード線９６を接続することにより、端子部材１４８とリード線９６の間での通電が実現されることとなる。
【００７３】
なお、理解を容易にするために、図１８においては、前記第一の実施形態と同様な構造とされた部材及び部位に対して、前記第一の実施形態と同一の符号を付してある。
【００７４】
また、前記第一及び第二の実施形態において、コイルスプリング１０４ａ，１０４ｂを介して、リード線９６ａ，９６ｂを接続するようにしても良い。更に、前記第一及び第二の実施形態において、固定側接続端子１００ａ，１００ｂに、端子用開口穴８２ａ，８２ｂからの抜出しを防止するためのストッパ片を設けるようにしても良い。更にまた、前記第一の実施形態において、可動側接続端子１２２ａ，１２２ｂに対して、ピン用開口穴８０ａ，８０ｂからの抜出しを防止するストッパ片を設けるようにしても良い。また、挿通孔８６を伝達板８４の長手方向の中心よりも押込ピン１０２が配される側に形成するようにしても良い。これにより、可動側コネクタ６６が固定側コネクタ６４に脱着される際の固定側接続端子１００の変位量を押込ピン１０２の変位量よりも大きくすることが可能となる。その結果、可動側コネクタ６６が固定側コネクタ６４から離れた際に、可動側コネクタ６６が固定側コネクタ６４から離隔する距離よりも、固定側接続端子１００が可動側接続端子１２２から離隔する距離のほうが大きくなり、固定側接続端子１００と可動側接続端子１２２の非通電状態を一層速やかに実現することが可能となる。
【００７５】
さらに、前記第一及び第二の実施形態では、遊技球の発射が出来なくすることにより、前枠２２と中枠１４の対向面間に形成された隙間を無理矢理広げようとしていることを検出できるようになっていたが、例えば、前枠２２に設けられたＬＥＤを消灯させることによって、不正行為を検出して報知するようにしても良い。
【００７６】
更にまた、本発明は、遊技機の作動全体を制御する主制御基板が収容された主制御基板ケースや賞媒体の払出を制御する払出制御基板が収容された払出制御基板ケースを無理矢理取り外そうとする不正行為の検出や、中枠を無理矢理開放しようとする不正行為の検出等に適用することも可能である。
【００７７】
また、前記第一及び第二の実施形態では、第一コネクタとしての固定側コネクタ６４，１２８と第二コネクタとしての可動側コネクタ６６を不正行為の検出に用いる場合について例示したが、例えば、第一コネクタと第二コネクタを前枠２２に配設されたＬＥＤ等への給電や制御信号の伝送等に用いることも可能である。そこで、第一コネクタと第二コネクタを給電や制御信号の伝送等に用いる場合の具体例を、本発明の第三の実施形態として、以下に説明する。なお、以下の説明において、前記第一の実施形態と同様な構造とされた部材及び部位については、図中に、第一の実施形態と同一の符号を付することにより、それらの詳細な説明を省略することにする。
【００７８】
第一コネクタとしての固定側コネクタ１５８は、図１９乃至２２に示されているように、伝達板８４において、第一接続端子としての固定側接続端子１６０が複数突設されている。特に本実施形態では、伝達板８４は、合成樹脂材料等の非導電性材料で形成されている。そして、図示はしていないが、本実施形態では、各固定側接続端子１６０ごとにリード線が接続されている。また、伝達板８４において、支持軸９０を挟んで固定側接続端子１６０とは反対側に位置する部分には、作用部材としての押込片１６４が載置されている。
【００７９】
一方、第二コネクタとしての可動側コネクタ１６６は、図２３に示されているように、挿入穴１２０の上底面に突設された第二接続端子としての可動側接続端子１６８を備えている。なお、図示はしていないが、本実施形態では、各可動側接続端子１６８ごとにリード線が接続されている。
【００８０】
そこにおいて、本実施形態では、固定側接続端子１６０と可動側接続端子１６８は、固定側コネクタ１５８の本体部分７０に形成された嵌合凹溝７２の底面７８に可動側コネクタ１６６が対向位置せしめられた状態で、嵌合凹溝７２の溝幅方向（固定側コネクタ１５８や可動側コネクタ１６６の幅方向）で互いに反対方向に向かって緩やかに弧を描くように延び出している。
【００８１】
上述の如き構造とされた固定側コネクタ１５８と可動側コネクタ１６６は、固定側コネクタ１５８の本体部分７０に形成された嵌合凹溝７２に対して、図２４に示されているように、可動側コネクタ１６６が嵌め入れられるようになっている。そして、嵌合凹溝７２に可動側コネクタ１６６を嵌め入れると、図２５に示されているように、可動側コネクタ１６６が押込片１６４を押すことに起因して突出する固定側接続端子１６０が可動側接続端子１６８と接触する。その際、固定側接続端子１６０と可動側接続端子１６８は、それぞれ、湾曲部分において接触した状態で弾性変形せしめられるようになっている。
【００８２】
すなわち、本実施形態では、可動側コネクタ１６６が嵌合凹溝７２の底面７８に接触するまでの段階で、固定側接続端子１６０と可動側接続端子１６８が接触するようになっており、このように固定側接続端子１６０と可動側接続端子１６８が接触してから可動側コネクタ１６６が更に押し込まれる段階で、固定側接続端子１６０と可動側接続端子１６８が、それぞれ、弾性変形せしめられるようになっているのである。
【００８３】
従って、本実施形態では、可動側コネクタ１６６が固定側コネクタ１５８から僅かに離隔変位した状態であっても、可動側接続端子１６８と固定側接続端子１６０の接触状態を維持して、可動側接続端子１６８と固定側接続端子１６０の間での通電状態を維持することが可能となる。
【００８４】
すなわち、本実施形態では、固定側コネクタ１５８が設けられた第一の構成部材や可動側コネクタ１６６が設けられた第二の構成部材が製造時の寸法誤差等により、第一の構成部材と第二の構成部材を組み付けて固定した場合に、可動側コネクタ１６６が固定側コネクタ１５８の本体部分７０に形成された嵌合凹溝７２の底面７８に接触していない状態でも、可動側接続端子１６８と固定側接続端子１６０の間での通電を有利に実現することが可能となる。これにより、例えば、前枠２２に設けられたＬＥＤやスピーカ等への給電等を有利に実現することが可能となる。その結果、遊技機の設計自由度を向上させることが可能となる。
【００８５】
また、前記第三の実施形態において、可動側接続端子１６８や固定側接続端子１６０は、弾性変形可能な形状であれば良く、例えば、全体としてＳ字形状を呈するもの等、各種の形状が採用可能である。
【００８６】
更にまた、前記第一の実施形態や第二の実施形態の可動側コネクタ６６において、図２６に示されているように、可動側接続端子１２２ａ，１２２ｂの固定側接続端子１００ａ，１００ｂへの接触面を可動側コネクタ６６の先端面と同じ位置にすれば、前記第三の実施形態と同様な効果を得ることが出来る。
【００８７】
その他、一々列挙はしないが、本発明は、当業者の知識に基づいて種々なる変更，修正，改良等を加えた態様において実施され得るものであり、また、そのような実施態様が本発明の趣旨を逸脱しない限り、何れも、本発明の範囲内に含まれるものであることは、言うまでもない。
【図面の簡単な説明】
【００８８】
【図１】本発明の第一の実施形態としてのパチンコ機を示す正面図。
【図２】同パチンコ機が備えている発射制御回路のブロック図。
【図３】同パチンコ機が備えている駆動装置を示す斜視図。
【図４】図１におけるＩＶ−ＩＶ方向の要部拡大断面図。
【図５】固定側コネクタの断面図であって、図６のＶ−Ｖ方向の断面図。
【図６】図５におけるＶＩ−ＶＩ方向の断面図。
【図７】図６におけるＶＩＩ−ＶＩＩ方向の断面図。
【図８】可動側コネクタの断面図。
【図９】図８におけるＩＸ−ＩＸ方向の断面図。
【図１０】図８の固定側コネクタの平面図。
【図１１】押込ピンに可動側コネクタが接触し始めた状態を示す断面図。
【図１２】固定側コネクタと可動側コネクタの接続状態を示す断面図。
【図１３】本発明の第二の実施形態で採用される固定側コネクタを示す断面図であって、図１４のＸＩＩＩ−ＸＩＩＩ方向の断面図。
【図１４】図１３におけるＸＩＶ−ＸＩＶ方向の断面図。
【図１５】図１４におけるＸＶ−ＸＶ方向の断面図。
【図１６】押込ピンに可動側コネクタが接触し始めた状態を示す断面図。
【図１７】固定側コネクタと可動側コネクタの接続状態を示す断面図。
【図１８】本発明において不正行為を検出する場合に採用可能な固定側コネクタの他の態様を示す断面図。
【図１９】本発明において給電や信号伝送等に用いる場合に採用可能な固定側コネクタを示す断面図であって、図２０におけるＸＩＸ−ＸＩＸ方向の断面図。
【図２０】図１９におけるＸＸ−ＸＸ方向の断面図。
【図２１】図２０におけるＸＸＩ−ＸＸＩ方向の断面図。
【図２２】図１９の固定側コネクタの平面図。
【図２３】本発明において給電や信号伝送等に用いる場合に採用可能な可動側コネクタを示す断面図。
【図２４】押込片に可動側コネクタが接触し始めた状態を示す断面図。
【図２５】固定側コネクタと可動側コネクタの接続状態を示す断面図。
【図２６】本発明において給電や信号伝送等に用いる場合に採用可能な固定側コネクタの他の態様を示す断面図。
【符号の説明】
【００８９】
１０：パチンコ機，１４：中枠，２２：前枠，６４：固定側コネクタ，６６：可動側コネクタ，１００：固定側接続端子，１０２：押込ピン，１２２：可動側接続端子
【図１】
2009219528.tif 000003
【図２】
2009219528.tif 000004
【図３】
2009219528.tif 000005
【図４】
2009219528.tif 000006
【図５】
2009219528.tif 000007
【図６】
2009219528.tif 000008
【図７】
2009219528.tif 000009
【図８】
2009219528.tif 000010
【図９】
2009219528.tif 000011
【図１０】
2009219528.tif 000012
【図１１】
2009219528.tif 000013
【図１２】
2009219528.tif 000014
【図１３】
2009219528.tif 000015
【図１４】
2009219528.tif 000016
【図１５】
2009219528.tif 000017
【図１６】
2009219528.tif 000018
【図１７】
2009219528.tif 000019
【図１８】
2009219528.tif 000020
【図１９】
2009219528.tif 000021
【図２０】
2009219528.tif 000022
【図２１】
2009219528.tif 000023
【図２２】
2009219528.tif 000024
【図２３】
2009219528.tif 000025
【図２４】
2009219528.tif 000026
【図２５】
2009219528.tif 000027
【図２６】
2009219528.tif 000028